【手続補正書】
【提出日】平成17年3月22日(2005.3.22)
【手続補正１】
【補正対象書類名】明細書
【補正対象項目名】全文
【補正方法】変更
【補正の内容】
【書類名】  明細書
【発明の名称】  ステープラー
【特許請求の範囲】
【請求項１】  複数枚の用紙等が支持されるほぼ平坦な上面に前記用紙等を貫通した綴針の脚部を前記用紙等の裏面に沿って略平坦状態に折曲げるためのアンビルが設けられた基台と、該基台に支持されるとともに内部に前記綴針を装填する装填部が形成され該装填部に収納された綴針の先頭の綴針を打ち出すためのブレードを摺動自在に装備したホルダーと、該ホルダーと前記基台との間に介装されたベーススプリングと、前記ホルダーに軸支され前記ブレードの上端部に係合して前記ブレードを駆動する操作ハンドルと、該操作ハンドルと前記ホルダーとの間に介装されたハンドルスプリングとを有するステープラーであって、
前記操作ハンドルを下降させて前記綴針で前記用紙等の結束を完了するまでの工程において前記ホルダーが上昇しないように前記ベーススプリングの弾性力を制圧して前記基台に前記ホルダーを係止するロック手段と、前記用紙等を前記綴針で結束した直後に自動的に前記ロック手段を解除するロック解除手段とを有することを特徴とするステープラー。
【請求項２】  前記ロック手段と前記ロック解除手段とは、略直方体の一垂直面に等間隔に複数の歯が形成されて前記基台に設けられたラックと、該ラックの歯と噛み合う係止爪が一端部に形成され中間部にロック解除ピンが設けられ他端部が前記ホルダーに回動可能に軸支されているフックと、該フックを前記ラック側に常時付勢するように前記ホルダーに支持されたスプリングと、一端部が前記操作ハンドルに回動不能に設けられ他端部に突片が形成されたロック解除部材とを備え、前記用紙等を綴針で結束した後の前記操作ハンドルの最大下降点で下方への押圧力が解放されたときに前記突片により前記ロック解除ピンが引き上げられて前記ラックの歯と前記フックの係止爪との噛み合いが解除され、操作前の待機位置に復帰するように構成されていることを特徴とする請求項１に記載のステープラー。
【請求項３】  前記ロック手段と前記ロック解除手段とは、略直方体の一垂直面に等間隔に複数の歯が形成されて前記基台に設けられたラックと、該ラックの歯と噛み合う係止爪が一端部に形成され他端部が前記ホルダーに回動可能に軸支されたフックと、該フックを前記ラック側に常時付勢するように前記ホルダーに支持されたスプリングと、前記操作ハンドルの下方に突出して形成されたロック解除部材とを備え、操作前の待機位置にある前記操作ハンドルの最大上昇点においては前記フックの押圧片を下方に押圧して前記ラックの歯と前記フックの係止爪との噛み合いは解除され、前記操作ハンドルを下方へ押圧すると前記操作ハンドルのロック解除部材が前記フックの押圧片から離れることにより前記フックは前記スプリングにより付勢され前記フックの係止爪は前記ラックの歯と噛み合ってロックされ、前記用紙等を綴針で結束後に前記操作ハンドルの下方への押圧が解放されたときに前記ロック解除部材で前記フックの押圧片が下方に押圧されることにより前記フックの係止爪と前記ラックの歯との噛み合いが解除されて操作前の待機位置に復帰するように構成されていることを特徴とする請求項１に記載のステープラー。
【発明の詳細な説明】
【０００１】
【産業上の利用分野】
本発明は、略コ字型の綴針を複数枚の用紙等に打ち込んで結束する為に使用されるステープラーに関する。
【０００２】
【従来の技術】
従来から、略コ字型の綴針を複数枚の用紙等に打ち込んで、複数枚の用紙等を貫通した綴針の脚部先端を用紙等の裏面側に沿って折曲げて複数枚の用紙等を結束するステープラーは数多く知られている。
【０００３】
しかし、これらのステープラーにおいては、ステープラーの機構の中に複数のかなり強力なスプリングが使用されている。このため、スプリングの弾性力を制圧して操作ハンドルを押し下げて操作することは、非力な人、特に女性や子供、お年寄りなどにおいてはとても辛い作業でもあり、また、成人男性であっても、綴る枚数が多く成れば成るほど強い力が必要となる。このような状態で、何十回、何百回とステープラーを操作すれば、筋肉等を痛めたり、疲労が重なるなどといった問題を抱えており、特に大型のステープラーではなおさらである。
【０００４】
上記問題が発生する要因の一つとして、ステープラーに使用されているスプリングに相当強い弾性力を必要としていることがある。
図１７の従来型のステープラー４０は、基台４１とホルダー４２との間に介装されているベーススプリング４３と、ホルダー４２と操作ハンドル４４との間に介装されているハンドルスプリング４５の弾性力の異なる２種類のスプリングが使用されていて、ベーススプリング４３よりもハンドルスプリング４５は相当強い弾性力を備えたスプリングが使用されている。
ここで、上記の如く強い弾性力を備えたスプリングを使用しなければ成らない理由に、通常の綴り作業においては、複数枚の用紙等Ｐを基台４１上面に置いて操作ハンドル４４を下方に押圧すると、まず、ベーススプリング４３が徐々に押し潰され、複数枚の用紙等Ｐの弾性力を制圧して複数枚の用紙Ｐ間の隙間を無くすようにしてホルダー４２又は綴針カセットＣの先端部で複数枚の用紙等Ｐを基台４１上面に押さえつける。次に、この状態から、更にハンドルスプリング４５の弾性力以上の力で操作ハンドル４４を押し下げると、これに伴ってブレード４６が下降し始めて綴針カセット内の先頭の綴針が押し下げられ、綴針の脚部が複数枚の用紙等Ｐを貫通して用紙等Ｐの裏面に沿って、基台４１上面に固設されたアンビル４７上で綴針の脚部先端が折曲げられることにより、複数枚の用紙等Ｐは結束される。ここで、それぞれの用紙等Ｐの間の隙間を無くして、フワフワ状態から一つの固まり状態にしないと、綴針の脚部先端が用紙等Ｐの表面で略垂直方向を向かずに遊んでしまうこと等により、うまく突き刺さらないという問題等が発生してしまい、綴針の脚部先端が用紙等に対して垂直に貫通しないこと等により、良好に結束されないというような問題が発生してしまう。
これらの理由により、複数枚の用紙等Ｐを一つの固まり状態に押さえ付けておく必要があるために弾性力の強いスプリングが使用されている。
【０００５】
【発明が解決しようとする課題】
本発明は、以上のような従来の問題点に鑑み、弾性力の弱いスプリングを使用しても、複数枚の用紙等を基台上面にしっかりと押さえ付ける事ができて、従って良好で安定した綴り品質を維持しつつ、非力な女性や子供などであっても、容易に取り扱うことのできる作業性及び操作性に秀れたステープラーを提供することを課題としている。また、第２の課題としては、部品数を減らして構造を簡素化することにより、故障を減少し、コストダウンを図ることを課題としている。
【０００６】
【課題を解決するための手段】
かかる課題を解決するため、請求項１に記載の発明は、複数枚の用紙等が支持されるほぼ平坦な上面に前記用紙等を貫通した綴針の脚部を前記用紙等の裏面に沿って略平坦状態に折曲げるためのアンビルが設けられた基台と、該基台に支持されるとともに内部に前記綴針を装填する装填部が形成され該装填部に収納された綴針の先頭の綴針を打ち出すためのブレードを摺動自在に装備したホルダーと、該ホルダーと前記基台との間に介装されたベーススプリングと、前記ホルダーに軸支され前記ブレードの上端部に係合して前記ブレードを駆動する操作ハンドルと、該操作ハンドルと前記ホルダーとの間に介装されたハンドルスプリングとを有するステープラーであって、前記操作ハンドルを下降させて前記綴針で前記用紙等の結束を完了するまでの工程において前記ホルダーが上昇しないように前記ベーススプリングの弾性力を制圧して前記基台に前記ホルダーを係止するロック手段と、前記用紙等を前記綴針で結束した直後に自動的に前記ロック手段を解除するロック解除手段とを有することを特徴としている。
【０００７】
請求項２に記載の発明は、請求項１に記載のロック手段とロック解除手段とは、略直方体の一垂直面に等間隔に複数の歯が形成されて前記基台に設けられたラックと、該ラックの歯と噛み合う係止爪が一端部に形成され中間部にロック解除ピンが設けられ他端部が前記ホルダーに回動可能に軸支されているフックと、該フックを前記ラック側に常時付勢するように前記ホルダーに支持されたスプリングと、一端部が前記操作ハンドルに回動不能に設けられ他端部に突片が形成されたロック解除部材とを備え、前記用紙等を綴針で結束した後の前記操作ハンドルの最大下降点で下方への押圧力が解放されたときに前記突片により前記ロック解除ピンが引き上げられて前記ラックの歯と前記フックの係止爪との噛み合いが解除され、操作前の待機位置に復帰するように構成されていることを特徴としている。
【０００８】
請求項３に記載の発明は、請求項１に記載のロック手段とロック解除手段とは、略直方体の一垂直面に等間隔に複数の歯が形成されて前記基台に設けられたラックと、該ラックの歯と噛み合う係止爪が一端部に形成され他端部が前記ホルダーに回動可能に軸支されたフックと、該フックを前記ラック側に常時付勢するように前記ホルダーに支持されたスプリングと、前記操作ハンドルの下方に突出して形成されたロック解除部材とを備え、操作前の待機位置にある前記操作ハンドルの最大上昇点においては前記フックの押圧片を下方に押圧して前記ラックの歯と前記フックの係止爪との噛み合いは解除され、前記操作ハンドルを下方へ押圧すると前記操作ハンドルのロック解除部材が前記フックの押圧片から離れることにより前記フックは前記スプリングにより付勢され前記フックの係止爪は前記ラックの歯と噛み合ってロックされ、前記用紙等を綴針で結束後に前記操作ハンドルの下方への押圧が解放されたときに前記ロック解除部材で前記フックの押圧片が下方に押圧されることにより前記フックの係止爪と前記ラックの歯との噛み合いが解除されて操作前の待機位置に復帰するように構成されていることを特徴としている。
【０００９】
【発明の実施の形態】
以下、図面に示す実施の形態により、本発明について詳細に説明する。
【００１０】
図１ないし図１１の本発明の第１の実施の形態において、図中符号１はステープラーで、基台２と、この基台２に揺動可能に支持されたホルダー１３と、このホルダー１３に回動可能に軸支された操作ハンドル２６とで構成され、基台２とホルダー１３との間にはベーススプリング１２が、また、ホルダー１３と操作ハンドル２６との間にはハンドルスプリング２４が介装されている。そして、綴針を用紙等に打ち込むためのブレード２５が操作ハンドル２６に摺動可能に支持され、且つホルダー１３内で上下方向に摺動可能に取り付けられて従来型のステープラー部分が構成されている。本発明においては、従来型ステープラーのベーススプリング及びハンドルスプリングと比較して、かなり弾性力の弱いものを使用している。そして、ベーススプリング１２はハンドルスプリング２４より弱い弾性力のスプリングが使用されている。そして、上記構成のステープラーに本発明の機構部分である、基台２の上面にはラック８が固設され、ホルダー１３にはフックＬ，Ｒ１６，１６Ａが回動可能に軸支され、更に、ホルダー１３には前記フックＬ，Ｒ１６，１６Ａをラック側に付勢するスプリング２１が取り付けられている。上記のラック及びフックＬ，Ｒ１６，１６Ａ及びスプリング２１でロック手段ＲＯ部分が構成されている。また、操作ハンドル２６には、ロック解除手段ＲＥ部分であるロック解除部材２８が固設されている。以下に、更に詳細に説明する。
【００１１】
以下、図１を用いて説明を進めると、基台２は、内部が中空に形成され、下部が開放された偏平な箱型に形成されていて、基台２の中央から右方上面にかけては用紙を支持するためにほぼ平坦に形成されている。左方側にはホルダー１３下部の前後壁面をガイドする支持部材３，３が対面して基台２上面に一体に形成されている（図２参照）。この支持部材３，３のほぼ中央には支持凹部４が形成されていて、この底部には取付孔が穿設されている（図５参照）。この支持凹部４の右方に隣接させてベーススプリング１２を起立収容する凹部が形成されている。及び、基台２の略中央部上面板７に形成された浅い凹部には、金属製の長方形板体で、複数枚の用紙等Ｐを貫通した綴針の脚部を用紙裏面に沿って略平坦状態に折り曲げるための折溝が形成されたアンビル５が固着されている。そして、基台２下面の開口部には滑止め等が施された板状の底板６が、基台２及び底板６に形成された凹部及び凸部により嵌合固定されている。また、基台２上面で、前記支持部材３，３の右端部には、直方体形状でこの右側垂直面には等間隔で歯９が並列して複数段形成されたラック８，８がホルダー１３を挟んだ対向位置に起立させて、基台２上面板７に穿設された取付孔の下方から挿入して、ラック８，８の下部で左右に突出して形成された支持片１０，１０に穿設された取付孔１１，１１を介して、基台２上面板７のネジ孔にビス３１，３１により固定されている（図２及び図３参照）。
【００１２】
前記ラック８の歯９は約１ミリメートル・ピッチに形成されていて、本実施の形態では、ホルダー１３の両側に配置されているが（図３参照）、この場合の基台への取付に際しては、どちらか一方のラック８の支持片１０，１０上面と基台下面との間に０．５ミリメートルのスペーサーを挟んで取り付けることにより、他方のラックの歯と合わせると、０．５ミリメートル・ピッチとなり、用紙等Ｐを押さえ付ける間隔が狭くなるが、これに限定するものではなく、通常はラック８を片側だけに取り付けて使用して良いし、スペーサーを入れずに用いても自由である。また、歯のピッチにおいても、本実施の形態では約１ミリメートル・ピッチとしているが、これに限定されるものではない。
【００１３】
ホルダー１３は、２つの略直方体を横長に配置して階段状に段違いに接続された形状で一体に形成され、左方側の部分は、右方が開口されていて、綴針カセットＣが収容される装填部と挿入口が形成されている。この左方部分の底部には支持部材１４がホルダー１３と一体に垂直方向に突出形成されている。更に、ホルダー１３の右方側の部分は、上方が開口された中空部を形成し複数のリブで補強されている。この外部前後壁面上方の対向位置には操作ハンドル２６を回動可能に軸支する支持軸１５，１５が突出形成されている。また、この右方側部分のホルダー１３の右端内部には操作ハンドル２６内部で摺動可能に上部が係合支持されたブレード２５を上下方向に摺動自在に案内するガイド部材が形成されている。この、右方側部分のホルダー１３の前後壁面の下部寄りで対向する位置には、支持片１７に穿設された軸孔１８を介して回動可能にビス３１によりフックＬ，Ｒ１６，１６Ａが軸支されている（図３参照）。このフックＬ，Ｒ１６，１６Ａは鋼板やステンレス板などをプレス加工等により一体に形成される。この、フックＬ，Ｒ１６，１６Ａ前面の略中間部には、円柱状で略上方側半分に傾斜面２０ａが形成されたロック解除ピン２０がフックＬ，Ｒ１６，１６Ａに形成された取付孔に圧入或いはカシメ等により固設されている（図８参照）。更に、フックＬ，Ｒ１６，１６Ａの下方端部寄りには先端部が尖った係止爪１９が支持片１７側に突出させて一体に形成されている。更に、ホルダー１３の前後壁面で、フックＬ，Ｒ１６，１６Ａの右方にはスプリング２１が取り付けられている。このスプリング２１は解放状態で巻回部２２を中心に内角が約１２０度に形成された脚部を有し、取付け時には内角を約８０〜９０度でホルダー１３にビス３１等により固定される（図１０参照）。この右方端部寄りはホルダー１３に固設された係止ピン３０により係止されている。更に、左方端部はほぼ直角に折曲げられた係止部２３が形成されていて、フックＬ，Ｒ１６，１６Ａに係止させ、基台２に固設されたラック８，８側にフックＬ，Ｒ１６，１６Ａを付勢して、フックＬ，Ｒ１６，１６Ａに形成された係止爪１９，１９をラックの歯９，９部分に押し付けて係止させる役目を果たしている（図１１参照）。そして、基台２に形成された凹部にベーススプリング１２を起立支持させ、更に支持凹部４にホルダー１３の支持部材１４を挿入して、支持凹部４底面に穿設された取付孔を介して支持部材１４底部のネジ孔にビス３１，３１止めすることによりホルダー１３は基台２に支持される。前記ベーススプリング１２により、基台２上でホルダー１３は常に上方向に付勢されている。
【００１４】
操作ハンドル２６は下部が開口された正面形状が略逆三角形、平面形状が略長方形を呈し、水平面部を有する中央部より左方側の前後内壁面下部の対向位置にめくら穴の軸孔２７，２７が形成され、この右方の内部上面中央にハンドルスプリング２４を係止する凸部が形成され、更にこの凸部の右方側で対面する前後内壁面にはブレード２５の上端部に突出形成された係合片２５ａ，２５ａを摺動可能に支持する係合部材が形成されている。そして、前記軸孔２７，２７の右方側で前後外壁面の下部には、ロック解除手段ＲＥであるロック解除部材２８，２８が移動不能にビス３１，３１により取り付けられている。このロック解除部材２８は金属或いは弾性を備えた合成樹脂材で一体に形成された正面形状が略長方形の小片で、一端部に取付孔２８ａが形成され操作ハンドル２６にビス３１止めと接着剤を併用する等して固定される。もう一端部の後面（操作ハンドル側）側には突片２９が形成されている（図９参照）。この突片２９は、フックに固設されたロック解除ピンとが係わりあう。
【００１５】
操作ハンドル２６は、内部略中央部の前後内壁面に対向させて形成された係合部材に、ブレード２５上端部の係合片２５ａ，２５ａを係合させ、このブレード２５の左方でホルダー１３内底部に形成された凸部材にハンドルスプリング２４を係止起立させ、更に操作ハンドル２６右方の内部上面の凸部に係止させて、ホルダー１３の右方側で前後外壁面に突出形成された支持軸１５，１５を、操作ハンドル２６の左方で前後内壁面に形成された軸孔２７，２７に係合させる（図５参照）。これにより、操作ハンドル２６はホルダー１３に軸支され、前記ハンドルスプリング２４により、操作ハンドル２６はホルダー１３上で常に上方に付勢されている。
【００１６】
ここでは、綴針カセットＣ式の従来型のステープラーを例にして説明しているが、本発明の省力機構は、カセット式以外の従来型ステープラーにも適用されるものであって、従って綴針カセットＣ式に限定されるものではない。
【００１７】
次に、前記本発明の第１の実施の形態の構成によるステープラー１の作用について説明する。
【００１８】
まず、上記構成のステープラー１の操作ハンドル２６に圧力を掛けていない操作前の待機状態では、ホルダー１３に固定されたスプリング２１，２１の付勢力によりホルダー１３に軸支されたフックＬ，Ｒ１６，１６Ａの係止爪１９，１９は、基台２上に固設されたラック８，８の歯９，９に常に係止（ロック）されている（図１１（ａ）参照）。次に基台２上面に複数枚の用紙等Ｐをセットして操作ハンドル２６を下方に押圧すると、ベーススプリング１２の方がハンドルスプリング２４より弾性力が弱いのでホルダー１３部分が下降し始める（図４参照）。これに伴いホルダー１３に軸支されたフックＬ，Ｒ１６，１６Ａが下降して歯９，９の下方に係止（ロック）位置が移動する（図１１（ｂ）参照）。更に操作ハンドル２６を下降させるとホルダー１３に装着された綴針カセットＣの右方端部が複数枚の用紙等Ｐを押し潰し、更に用紙等の間の隙間を無くすように押し潰してホルダー１３が下がらなく成った所で係止爪１９，１９は歯９，９の下方で係止（ロック）してベーススプリング１２及び複数枚の用紙等Ｐの反発力をブロックしている（図４参照）。更に操作ハンドル２６をハンドルスプリング２４の弾性力を上回る力で押圧して下降させることにより、操作ハンドル２６内部で上部が係合されたブレード２５がホルダー１３のガイド部材に案内され下方に押し下げられ、綴針カセットＣ内の先頭の綴針が押し出され、複数枚の用紙等Ｐを貫通した脚部先端が用紙等Ｐの裏面に沿ってアンビル５上で折り曲げられて複数枚の用紙等Ｐは結束される（図１１（ｄ）参照）。この、結束される直前で、操作ハンドル２６に固設されたロック解除部材２８，２８の突片２９，２９先端部がフックＬ，Ｒ１６，１６Ａに固設されたロック解除ピン２０，２０の傾斜面２０ａ，２０ａと接触しながら乗り越えている（図１１（ｄ）参照）。そして、操作ハンドル２６から手を離して解放すると、ハンドルスプリング２４の付勢力により操作ハンドル２６は上方に戻ろうとする。この時、ロック解除部材２８，２８の突片２９，２９がロック解除ピン２０，２０を引き上げる事により、フックＬ，Ｒ１６，１６Ａの係止爪１９，１９はラック８，８の歯９，９から引き離される（図１１（ｅ）参照）、と同時にベーススプリング１２の付勢力によりホルダー１３も操作前の元の待機位置に戻される（図１１（ｆ）参照）。
ここでは、綴針カセットＣ式の従来型ステープラーを例に取って説明しているが、本発明は、カセット式以外の従来型ステープラーにも適用されるものであって、この場合には、ホルダー１３の先端部で用紙等Ｐを押さえる事になるが、前記と同様に作用するものである。
【００１９】
【発明の異なる実施の形態】
次に、図１２ないし図１６に示す本発明の異なる実施の形態につき説明する。なお、これらの本発明の異なる実施の形態の説明に当たって、前記本発明の第１の実施の形態と同一構成部分には同一符号を付して重複する説明を省略する。
【００２０】
図１２ないし図１６の本発明の第２の実施の形態において、前記本発明の第１の実施の形態と主に異なる点はロック解除手段ＲＯであるロック解除部材２６ａで、前記操作ハンドル２６Ａの軸孔２７，２７より左方の前後壁面下部で下方に突出して形成した点で、これに伴い、ホルダー１３Ａに取り付けられたフックＬ，Ｒ１６Ｂ，１６Ｃの解除ピンを無くして、支持片１７Ａを長くしてこの先端部上方を前方に折り曲げて突出させた押圧片１７ａが形成されている点で、このようなロック解除部材２６ａ，２６ａ及びフックＬ，Ｒ１６Ｂ，１６Ｃを用いるように構成されたステープラー１Ａにおいても、前記本発明の第１の実施の形態と同様な作用効果が得られる。
【００２１】
次に、前記本発明の第２の実施の形態の構成によるステープラーの作用について説明する。
【００２２】
まず、上記構成のステープラー１Ａでは、操作ハンドル２６Ａを押圧していない待機状態では、操作ハンドル２６Ａの前後壁面下部に下方に突出して形成されたロック解除部材２６ａ，２６ａが、ホルダー１３の前後外壁面に軸支されたフックＬ，Ｒ１６Ｂ，１６Ｃの押圧片１７ａ，１７ａを僅かに下方に押し下げるように設定されているので、操作前の待機状態ではフックＬ，Ｒ１６Ｂ，１６Ｃの係止爪１９，１９は、ラック８，８の歯９，９部分から離れている（図１６（ａ）及び図１２参照）。次に、基台２上面に複数枚の用紙等Ｐをセットして操作ハンドル２６Ａを下方に押圧すると、ベーススプリング１２の方がハンドルスプリング２４より弾性力が弱いが、僅か数ミリメートルではあるが操作ハンドル２６Ａも下降する、これにより、操作ハンドル２６Ａのロック解除部材２６ａ，２６ａがフックＬ，Ｒ１６Ｂ，１６Ｃの押圧片から離れる事により、フックはホルダーに支持されたスプリング２１の付勢力により、ホルダー１３Ａに軸支されたフックＬ，Ｒ１６Ｂ，１６Ｃの係止爪１９は、基台２上に固設されたラック８，８の歯９，９上部に係止される（図１６（ｂ）参照）。更に操作ハンドル２６Ａを下降させると、ホルダー１３Ａに軸支されたフックＬ，Ｒ１６Ｂ，１６Ｃが下降して歯９，９の下方に係止（ロック）位置が移動する（図１６（ｃ）参照）。更に操作ハンドル２６Ａを下降させるとホルダー１３に装着された綴針カセットＣの右方端部が複数枚の用紙等Ｐを押し潰し、更に用紙等Ｐの間の隙間を無くすように押し潰してホルダー１３が下がらなく成り、この時、係止爪１９，１９はラック８，８の歯９，９の下方で係止してベーススプリング１２及び複数枚の用紙等Ｐの反発力をブロックしている（図１３及び図１６（ｃ）参照）。更に操作ハンドル２６Ａをハンドルスプリング２４の弾性力を上回る力で押圧して下降させることにより、操作ハンドル２６Ａの上部で係合されたブレード２５が押し下げられ、綴針カセットＣ内の先頭の綴針が押し下げられて複数枚の用紙等Ｐを貫通した脚部先端が用紙等Ｐの裏面に沿ってアンビル５上で折り曲げられ、複数枚の用紙Ｐ等は結束される。この、結束後に操作ハンドル２６Ａから手を離すと、まず始めにハンドルスプリング２４の付勢力により操作ハンドル２６Ａが操作途中の位置に戻る（図１６（ｄ）参照）。これにより、操作ハンドル２６Ａのロック解除部材２６ａ，２６ａがフックＬ，Ｒ１６Ｂ，１６Ｃの押圧片１７ａ，１７ａが押し下げられて係止爪１９，１９はラック８，８の歯９，９から引き離される、と同時にベーススプリング１２の付勢力によりホルダー１３も瞬間的に操作前の元の待機位置に戻される（図１６（ｅ）参照）。
【００２３】
【発明の効果】
以上の説明から明らかなように、本発明にあっては次に列挙する効果が得られる。
【００２４】
請求項１及び請求項２の発明によれば、以上説明してきたように、従来型ステープラーの弾性力の強いベーススプリングとハンドルスプリングに代えて、弾性力の弱いスプリングを用い、及び略直方体の一垂直面に等間隔に複数の歯が形成され、基台の略中間部上面に起立させて固設されたラックと、このラックの歯と噛み合う係止爪が一端部に形成され、他端部がホルダーに回動可能に軸支され且つ略中間部にロック解除ピンが固設されたフックと、このフックをラック側に付勢するようにホルダーに支持されたスプリングと、一端部が操作ハンドルに回動不能に固設され、他端部に突片が形成されたロック解除部材とでステープラーが構成されていて、複数枚の用紙等が綴針により結束された後に操作ハンドルの最大下降点で下方への押圧が解除された時に、ロック解除部材に形成された突片によりフックに固設されたロック解除ピンが引き上げられてラックの歯とフックの係止爪との噛み合いが解除されるように構成されているので、従来のステープラーの操作に比較して、かなり弱い力で複数枚の用紙を基台上面にしっかりと押さえ付ける事が可能となり、良好で、安定した綴り品質を維持しつつ、非力な女性や子供でも容易に操作ができる、作業性及び操作性に秀れたステープラーを提供することができる。
【００２５】
請求項３の発明によれば、ロック解除部材が操作ハンドルの軸孔より左方の前後壁面下部に下方に突出して形成されたロック解除部材とした点、及び、フックの解除ピンを無くして、フックの支持片を延長してこの先端部上方を前方に折り曲げて突出形成した押圧片とで構成したので、前記請求項１及び請求項２の構成と同様な効果が得られると共に、部品数が減少して構造が簡素化されているので、故障が少なくなり、更にコストダウンを図る事ができる。
【図面の簡単な説明】
【図１】本発明の第１の実施の形態を表す一部破断の正面図である。
【図２】同実施の形態の一部を省略した要部を表す平面図である。
【図３】同実施の形態の右側面図である。
【図４】同実施の形態のカセット先端で用紙を押さえた使用状態を表す正面図である。
【図５】同実施の形態の主要部材の分解説明図である。
【図６】ラックの説明図である。
ａ 正面図
ｂ 平面図
【図７】フックＬの説明図である。
ａ 正面図
ｂ 右側面図
【図８】フックＲの一部を拡大した説明図である。
ａ 正面図
ｂ 左側面図
【図９】ロック解除部材の説明図である。
ａ 平面図
ｂ 正面図
ｃ 左側面図
【図１０】スプリングの説明図である。
ａ 正面図
ｂ 右側面図
【図１１】同実施の形態のロック手段及びロック解除手段の説明図である。
(ａ)待機状態
(ｂ)ホルダー先端(カセット先端)で用紙等を押さえ付けた状態
(ｃ)(ｂ)の状態から更に操作ハンドルを押し下げた状態
(ｄ)更に操作ハンドルを押し下げ用紙等の綴り操作終了直前の状態で、ロック解除部材の突片がフックのロック解除ピンを乗り越えた状態
(ｅ)綴り操作が終了して操作ハンドルが解放され、ロック解除部材の突片がフックのロック解除ピンを引き上げ、ラックとフックの噛み合いが解除された状態
(ｆ)ラックとフックの噛み合いが解除され、ホルダーと操作ハンドルが待機位置に戻る途中の状態
【図１２】本発明の第２の実施の形態の一部破断の正面図である。
【図１３】同実施の形態のカセット先端で用紙を押さえた状態を表す正面図である。
【図１４】フックＬの説明図である。
ａ 平面図
ｂ 正面図
ｃ 右側面図
【図１５】フックＲの説明図である。
ａ 平面図
ｂ 正面図
ｃ 右側面図
【図１６】同実施の形態のロック手段及びロック解除手段の説明図である。
(ａ)待機状態
(ｂ)操作ハンドルが僅かに押し下げられ、フックの押圧片から操作ハンドルのロック解除部材が離れてフックの係止爪がラックのギヤーと噛み合った状態
(ｃ)更に操作ハンドルを押し下げて綴り操作の終了前後の状態
(ｄ)綴り操作が終了して操作ハンドルが解放され、操作ハンドルのロック解除部材がフックの押圧片を押し下げてラックとフックの噛み合いが解除された状態
(ｅ)ラックとフックの噛み合いが解除され、ホルダーと操作ハンドルが待機位置に戻った状態
【図１７】従来の実施例を表す正面図である。
【符号の説明】
１，１Ａ ステープラー
２ 基台
３ 支持部材
４ 支持凹部
５ アンビル
７ 上面板
８ ラック
９ 歯
１０ 支持片
１１ 取付孔
１２ ベーススプリング
１３，１３Ａ ホルダー
１４ 支持部材
１５ 支持軸
１６，１６Ｂ フックＬ
１６Ａ，１６Ｃ フックＲ
１７，１７Ａ 支持片
１７ａ 押圧片
１８ 軸孔
１９ 係止爪
２０ ロック解除ピン
２０ａ 傾斜面
２１ スプリング
２２ 巻回部
２３ 係止部
２４ ハンドルスプリング
２５ ブレード
２５ａ 係止片
２６，２６Ａ 操作ハンドル
２６ａ ロック解除部材
２７ 軸孔
２８ ロック解除部材
２８ａ 取付孔
２９ 突片
３０ 係止ピン
ＲＯ ロック手段
ＲＥ ロック解除手段
Ｃ 綴針カセット
Ｐ 用紙等
Ｄ 操作ハンドル下降（押圧状態）
Ｕ 操作ハンドル上昇（押圧力解放状態）